(57)【要約】【課題】単一のインターフェイスを用いて複数の通信規格で通信可能な電子装置にて、そのインターフェイスを用いて外部装置に通信接続する際に使用者の便宜を図ることを目的とする。【解決手段】本発明の電子装置は、複数の通信規格の中から選択された通信規格に基づいて、単一のインターフェイスを用いて外部装置と通信接続可能であり、インターフェイスを介して外部装置と接続されると、複数の動作モードの中から選択された動作モードに応じた設定画面が表示され、各設定画面では、選択された動作モードで使用される可能性のある１又は２以上の通信規格が示されており、表示された設定画面を用いて通信規格が選択された後、外部装置との通信接続を確立する処理を行うことを特徴とする。さらに、本発明の電子装置は、各設定画面にて、外部装置との通信接続の中止を選択可能であり、中止が選択されると、外部装置との接続解除を使用者に要求する画面を表示する。【選択図】図４
2005295478.tif 000002
【特許請求の範囲】
【請求項１】
複数の通信規格の中から選択された通信規格に基づいて、単一のインターフェイスを用いて外部装置と通信接続可能な電子装置において、
前記インターフェイスを介して前記外部装置と接続されると、複数の動作モードの中から選択された動作モードに応じた設定画面が表示され、
各設定画面では、前記選択された動作モードで使用される可能性のある１又は２以上の通信規格が示されており、
表示された設定画面を用いて通信規格が選択された後、前記外部装置との通信接続を確立する処理を行うことを特徴とする電子装置。
【請求項２】
各設定画面にて、前記外部装置との通信接続の中止を選択可能であり、
前記通信接続の中止が選択されると、前記外部装置との接続解除を使用者に要求する画面を表示する請求項１に記載の電子装置。
【請求項３】
電源がオフの場合に、前記インターフェイスを介して前記外部装置と接続されると、電源が自動的にオンになる請求項１又は請求項２に記載の電子装置。
【請求項４】
前記外部装置との接続が解除されると、接続前の状態に戻る請求項１乃至請求項３の何れかに記載の電子装置。
【発明の詳細な説明】
【技術分野】
【０００１】
本発明は、パーソナルコンピュータやプリンタ等の外部装置と通信接続するデジタルカメラ等の電子装置に関する。
【背景技術】
【０００２】
現在、パーソナルコンピュータ(以下、「ＰＣ」と称す)とプリンタやスキャナ等の各種周辺装置とを通信接続する手段として、ＰＣと周辺装置の通信接続を１種類のインターフェースに統一することを目的として定められたＵＳＢ(Universal Serial Bus)が広く使用されており、デジタルカメラに代表される撮像装置とＰＣとの通信接続にもＵＳＢが使用されている。撮像装置とＰＣがＵＳＢケーブルで接続されると、ＵＳＢマスストレージクラス規格に基づいて両者が通信接続されて、ＰＣ側にて、撮像装置が具える記録媒体にアクセス可能になる。これによって、ユーザは、例えば、撮像装置が具える記録媒体に記録された画像データを、ＰＣのディスプレイに出力し、ＰＣに接続されたプリンタに出力し、または、ＰＣのハードディスクに記録することができる。
【０００３】
当初は、撮像装置が具える記録媒体に記録された画像データを、ＰＣを介して又はＰＣにて処理することを目的として、撮像装置にＵＳＢインターフェイスが設けられていたが、近年、ＵＳＢを用いて撮像装置とプリンタを直接に通信接続して、撮像装置の記録媒体に記録された画像データを、ＰＣを介さずにプリンタで出力することが行われている。この場合、撮像装置とプリンタは、ＵＳＢスチルイメージクラス規格をベースに定められたＰＴＰ(Picture Transfer Protocol)規格に基づいて通信接続される。
【０００４】
また、近年、所謂ＰＣカメラ又はＷｅｂカメラとして使用可能な撮像装置も現れている。撮像装置がＵＳＢを用いてＰＣと通信接続されて、ＰＣカメラとして使用される場合、撮像装置とＰＣは、ＵＳＢビデオイメージクラス規格に基づいて通信接続される。
【０００５】
このような撮像装置は、複数のＵＳＢ通信規格に対応しているが、外部装置と通信接続される際には、実際に使用されるＵＳＢ通信規格が選択されている必要がある。そのために、従来の撮像装置では、使用者が所定の操作を行うことによってＬＣＤ(Liquid Crystal Display)等の表示部に設定画面が表示されて、使用者は、その設定画面を用いてＵＳＢ通信規格の選択を行っている(特許文献１参照)。設定画面は、通常、表示部の明るさ調整やビデオ信号方式等に関する各種設定用も兼ねている。
【特許文献１】特開２００２−３０５６７７号公報
【発明の開示】
【発明が解決しようとする課題】
【０００６】
上記のように、撮像装置を含む従来の電子装置では、ＵＳＢを用いて通信接続される外部装置が変わる度に、所定の操作を行って設定画面を呼び出して、ＵＳＢ通信規格の選択を行わねばならない。しかしながら、このような操作は、使用者にとって煩雑且つ面倒である。また、適切なＵＳＢ通信規格を予め設定せずに、使用者が電子装置と外部装置をＵＳＢケーブルで接続する事態は、頻繁に生じる。この場合、電子装置と外部装置間で正常な通信接続が行われないので、ＵＳＢ通信規格の設定変更の必要性に気づくまでに、使用者は、ＵＳＢコネクタの接触を確認し、又は、不要且つ無関係な操作を電子装置若しくは外部装置に対して行っている。
【０００７】
さらに、従来の電子装置では、外部装置にＵＳＢケーブルで接続されると、ＵＳＢコントローラが駆動して、外部装置との通信接続を確立する処理が、より具体的には接続ネゴシエーション処理が行われており、使用者は、電子装置と外部装置との通信接続を中止させることができない問題がある。
【０００８】
本発明は、上記の問題を解決するものであり、単一のインターフェイスを用いて複数の通信規格で通信可能な電子装置について、そのインターフェイスを用いて外部装置に通信接続する際に使用者の便宜を図ることを目的とする。
【課題を解決するための手段】
【０００９】
本発明の電子装置は、複数の通信規格の中から選択された通信規格に基づいて、単一のインターフェイスを用いて外部装置と通信接続可能な電子装置において、前記インターフェイスを介して前記外部装置と接続されると、複数の動作モードの中から選択された動作モードに応じた設定画面が表示され、各設定画面では、前記選択された動作モードで使用される可能性のある１又は２以上の通信規格が示されており、表示された設定画面を用いて通信規格が選択された後、前記外部装置との通信接続を確立する処理を行うことを特徴とする。
【００１０】
さらに、本発明の電子装置は、前記設定画面にて、前記外部装置との通信接続の中止を選択可能であり、前記通信接続の中止が選択されると、前記外部装置との接続解除を使用者に要求する画面を表示する。
【００１１】
上記の構成に加えて、本発明の電子装置は、電源がオフの場合に、前記インターフェイスを介して前記外部装置と接続されると、電源が自動的にオンになる。また、本発明の電子装置は、前記外部装置との接続が解除されると、接続前の状態に戻る。
【発明の効果】
【００１２】
本発明の電子装置では、インターフェイスを介して外部装置と接続されると、選択画面が表示されて、電子装置の使用者は、外部装置が電子装置に確実に接続された事を把握する。設定画面は、選択された動作モードに応じて表示され、使用者は、その設定画面を用いて適切な通信規格を選択し、その後、電子装置は、外部装置との通信接続を確立する処理を行う。このように、本発明の電子装置では、インターフェイスを介して外部装置と接続される度に動作モードに応じた設定画面が表示されて、使用者は、これを用いて適切な通信規格を選択できるので、従来の電子装置のように、使用者が、外部装置との接続前に通信規格の選択を意識し、さらに所定の操作を行って設定画面を呼び出して通信規格を選択する必要が無くなる。また、使用者が通信規格の選択を忘れることにより、不適切な通信規格が用いられて、電子装置と外部装置間で正常な通信接続が行われない事態が防止される。さらに、各設定画面では、その動作モードで使用される可能性のある通信規格が示されているので、使用者が不適切な通信規格を選択する事態が防止される。
【００１３】
さらに、設定画面にて、外部装置との通信接続の中止を選択可能とすることで、使用者は、電子装置と外部装置を接続したものの通信接続の必要性はないと判断した場合には、通信接続を自由に中止できる。そして、外部装置との接続解除を使用者に要求する画面が表示されるので、電子装置が外部装置と接続されたまま放置される事態が防止される。
【００１４】
また、電源がオフの場合に外部装置と接続された場合に、電源が自動的にオンになると、使用者が電源釦を押す必要がなく、さらに、外部装置との接続が解除されると、接続前の状態に戻ることより、使用者の操作上の負担が軽減される。
【発明を実施するための最良の形態】
【００１５】
以下、本発明の電子装置を図を用いて説明する。なお、デジタルカメラを実施例として以下の説明を行うが、本発明は、デジタルカメラ、さらには撮像装置に限定されるものではなく、外部装置と通信接続可能な電子装置に対して広く適用できる。
【００１６】
図１は、本発明の一実施例であるデジタルカメラ(1)の概要を示すブロック図である。デジタルカメラ(1)は、少なくとも撮影モード又は再生モードの何れか一方の動作モードで動作する。基本的に、撮影モードは、被写体を撮影して画像データを記録する動作モードであり、再生モードは、記録された画像データを表示部等に出力する動作モードである。撮影モードでは、フォーカスレンズやズームレンズ等で構成される集光手段(2)を通じて被写体から送られた光が、ＣＣＤ(Charge Coupled Device)等を用いたイメージセンサ(3)に入射される。イメージセンサ(3)は、タイミングジェネレータ(4)から送られるタイミング信号に基づいて、格子状に配置された画素(素子)に電荷を蓄積すると共に、一部の画素に蓄積された電荷の取出しを繰り返して行う。
【００１７】
イメージセンサ(3)からは、１フレーム分の画像信号が所定の周期で出力されて、ＣＤＳ(Correlated Double Sampling)/ＡＧＣ(Auto Gain Control)回路(5)にて、相関二重サンプリング及びゲイン調整等が施される。その後、画像信号は、アナログ−デジタル変換回路(6)でデジタル画像データに変換された後、信号処理回路(7)に入力される。 信号処理回路(7)では、画像データに対して、ガンマ補正、ホワイトバランス調整、及びＲＧＢ−ＹＵＶ変換処理等が施される。
【００１８】
信号処理回路(7)から出力された画像データは、メモリコントローラ(8)を介してＳＤＲＡＭ(9)に一旦記憶された後、適宜読み出されてビデオエンコーダ(10)に入力される。ビデオエンコーダ(10)は画像データをＮＴＳＣ方式等のコンポジット画像信号に変換して、ＬＣＤモニタ(11)に出力する。ＬＣＤモニタ(11)は、記録媒体に記録した画像データの出力や各種設定画面の表示等に使用されると共に、ＥＶＦ(Electronic View Finder)として機能する。撮影モードでは、上記のようにイメージセンサ(3)から出力された一連の画像信号が処理されて、ＬＣＤモニタ(11)に、所謂スルー画像が表示される。
【００１９】
デジタルカメラの使用者は、ＬＣＤモニタ(11)に表示されたスルー画像を見ながら、適当なタイミングで、レリーズ釦(12)を押下する。レリーズ釦(12)の押下はシステムコントローラ(13)にて検知され、それを通知する信号がシステムコントローラ(13)からＣＰＵ(14)に送られる。ＣＰＵ(14)からタイミングジェネレータ(4)に、イメージセンサ(3)の全画素から電荷を読み出すように指示が送られると、タイミングジェネレータ(4)は、これに応じたタイミング信号をイメージセンサ(3)に出力する。そして、イメージセンサ(3)にて、電荷の蓄積と全画素の電荷の読出しが行われ、スルー画像の画像信号よりも解像度の高い(画素数の多い)画像信号が、イメージセンサ(3)から出力される。
【００２０】
イメージセンサ(3)から出力された画像信号は、上記と同様に処理されて画像データとしてＳＤＲＡＭ(9)に一旦記憶された後、ＪＰＥＧコーデック部(15)に送られる。ＪＰＥＧコーデック部(15)では、ＪＰＥＧ(Joint Photographic Expert Group)方式に基づいて、画像データに圧縮処理が施される。圧縮された画像データは、メモリインターフェイス(16)を介して記録媒体であるメモリカード(17)に記録される。メモリカード(17)は、デジタルカメラ(1)に挿脱自在に設けられており、例えば、ＳＤメモリカード(登録商標)やメモリスティック(登録商標)等が用いられる。
【００２１】
再生モードでは、メモリカード(17)に記録された画像データが読み出されて、ＳＤＲＡＭ(9)に一旦記憶された後、ＪＰＥＧコーデック部(15)に送られる。ＪＰＥＧコーデック部(15)では、ＪＰＥＧ方式に基づいて、画像データに伸長処理が施される。伸長処理が行われた画像データは、ビデオエンコーダ(10)に送られて、ＬＣＤモニタ(11)には、該画像データに基づいて画像が表示される。
【００２２】
第１制御手段であるＣＰＵ(14)は、上記のようにタイミングジェネレータ(4)、信号処理回路(7)及びメモリコントローラ(8)等の制御等を行う。なお、デジタルカメラ(1)には図示を省略したＲＯＭ及びＲＡＭが設けられており、該ＲＯＭには各種制御用プログラム等が記憶され、ＲＡＭには、ＣＰＵ(14)にて実行されるプログラムや演算に用いる数値等が一時的に記憶される。第２制御手段であるシステムコントローラ(13)には、マイクロコンピュータが用いられており、デジタルカメラ(1)の動作に必要な、キー入力処理等の基本的な処理を行う。システムコントローラ(13)には、上述したようにレリーズ釦(12)が接続されており、さらには、電源釦(18)、モードスイッチ(19)、セット釦(20)及び４方向釦(21)が接続されている。
【００２３】
電源釦(18)は、デジタルカメラ(1)の電源をオン・オフするために用いられる。電源釦(18)が押下されて、電源のオンが指示されると、システムコントローラ(13)は、内蔵バッテリ(22)に接続された電源回路(23)を制御して、ＣＰＵ(14)、イメージセンサ(3)、信号処理回路(7)及びＬＣＤモニタ(11)等のデジタルカメラ(1)の構成要素に給電が行われる。また、電源釦(18)が再度押下されて、電源のオフが指示されると、システムコントローラ(13)は、電源回路(23)を制御して、デジタルカメラ(1)の構成要素への給電を停止させる。システムコントローラ(13)は、電源回路(23)を介してバッテリ(22)より常時給電されている。なお、システムコントローラ(13)は、別途に設けたバッテリより給電されてもよい。モードスイッチ(19)は、撮影モードと再生モード間でデジタルカメラ(1)の動作モードの選択を行う切替スイッチである。４方向釦(21)は、ＬＣＤモニタ(11)に出力する画像データの選択や、設定画面上にて選択項目の選択等を行うために使用される。
【００２４】
ＣＰＵ(14)からの指令に応じて、ＯＳＤ部(24)は、各種設定画面等を表示するために必要な文字やアイコン等のキャラクタデータを発生する。ＯＳＤ部(24)にて発生したキャラクタデータは、ビデオエンコーダ(10)にて、画像データに重畳され又は画像データと置き換えられて、ＬＣＤモニタ(11)にて各種設定画面、文字やアイコン等が表示される。
【００２５】
デジタルカメラ(1)は、ＵＳＢインターフェイス(25)及びＵＳＢコントローラ(26)を具えており、ＰＣやプリンタ等の外部装置とＵＳＢを用いて通信接続される。ＵＳＢインターフェイス(25)は、具体的にはＵＳＢレセプタクルであって、ＵＳＢケーブルの一端に設けられたＵＳＢプラグが挿入される。システムコントローラ(13)は、例えば信号線の電圧変化に基づいて、ＵＳＢケーブルを介してデジタルカメラ(1)と外部装置が接続されているか否かを検知する。ＵＳＢコントローラ(26)は、外部装置との間で行われる通信を制御する。
【００２６】
次に、本実施例のデジタルカメラ(1)が、ＵＳＢケーブルで外部装置と接続される際に行われる処理について説明する。図２及び図３は、この処理を示すフローチャートである。まず、デジタルカメラ(1)と外部装置とがＵＳＢケーブルを用いて接続される(Ｓ１)。ＵＳＢケーブル(31)の一端に設けられたＵＳＢプラグ(32)(図４(a)乃至(c)参照)が、デジタルカメラ(1)のＵＳＢインターフェイス(25)に挿入され、ＵＳＢケーブル(31)の他端に設けられたＵＳＢプラグは、外部装置が具えるＵＳＢインターフェイスに挿入される(図示せず)。また、外部装置の電源はオンにされる。
【００２７】
システムコントローラ(13)は、ＵＳＢケーブル(31)でデジタルカメラ(1)と外部装置が接続されると、デジタルカメラ(1)の電源が現在オンになっているか否か、即ち、電源釦(18)が押されてＣＰＵ(14)、ビデオエンコーダ(10)及びＬＣＤモニタ(11)等のデジタルカメラ(1)の構成要素に現在給電されているか否かを判断する(Ｓ２)。そして、デジタルカメラ(1)の電源がオフである場合、システムコントローラ(13)は、電源回路(23)を制御して、デジタルカメラ(1)の電源をオンにする(Ｓ３)。デジタルカメラ(1)の電源がオンの場合、ＣＰＵ(14)は、ＵＳＢケーブル(31)が接続された旨の通知をシステムコントローラ(13)から受け取って、撮影モード又は再生モードにて現在行っている処理を中止する(Ｓ４)。例えば、撮影モードでは、スルー画像をＬＣＤモニタ(11)に表示する処理が、再生モードでは、メモリカード(17)に記録された画像データの出力処理が中止される。
【００２８】
ステップＳ３又はＳ４の後、ＣＰＵ(14)は、モードスイッチ(19)にて撮影モード又は再生モードの何れが選択されているかを判断し(Ｓ５)、撮影モードが選択されている場合には、第１接続選択画面をＬＣＤモニタ(11)に表示する(Ｓ６)。図４(a)は、第１接続選択画面がＬＣＤモニタ(11)に表示された状態のデジタルカメラ(1)を示す背面図である。第１接続選択画面の左上には、外部装置との接続形態を示す文字列「ＰＣ接続」が示されている。基本的に、デジタルカメラ(1)は撮影モードにてＰＣに接続される。また、第１接続選択画面には、選択可能な２つのＵＳＢ通信接続規格に対応した文字列「ビデオイメージ」及び「マスストレージ」と、通信接続の中止に対応した文字列「中止」とが示されている。
【００２９】
使用者は、第１接続選択画面を用いて、使用する通信規格又は通信接続の中止を選択する(Ｓ７)。第１接続選択画面の左側には、何れかの文字列の横に矢印(33)が配置されており、該矢印(33)は４方向釦(21)の操作に伴って移動する。使用者が、希望する処理内容を示す文字列の横に矢印(33)を配置して、セット釦(20)を押下すると、以後の処理が確定する。
【００３０】
ステップＳ７にて、文字列「ビデオイメージ」の横に矢印(33)が配置された状態で、セット釦(20)が押下されると、ＣＰＵ(14)からの指示により、ＵＳＢコントローラ(26)は、外部装置が具えるＵＳＢコントローラに対して通信接続要求を送信して、該ＵＳＢコントローラの間で接続ネゴシエーションを開始する(Ｓ８)。接続ネゴシエーションの際に、ＵＳＢビデオイメージクラス規格に基づいて通信接続を行う旨が、デジタルカメラ(1)から外部装置に対して宣言されて、デジタルカメラ(1)と外部装置の間で、ＵＳＢビデオイメージクラス規格に基づいた通信接続が確立される(Ｓ９)。
【００３１】
ステップＳ９にて、デジタルカメラ(1)と外部装置の間で通信接続が確立された後、例えば、デジタルカメラ(1)は、スルー画像に係る画像データを取得する処理を開始して、ＳＤＲＡＭ(9)に記憶された一連の画像データが、ＵＳＢビデオイメージクラス規格に基づくフォーマットの信号に変換されて、ＵＳＢコントローラ(26)やＵＳＢケーブル(31)等を介して外部装置に送られる。
【００３２】
ステップＳ７にて、文字列「マスストレージ」の横に矢印(33)が配置された状態で、セット釦(20)が押下されると、ＣＰＵ(14)からの指示により、ＵＳＢコントローラ(26)は、外部装置のＵＳＢコントローラに対して通信接続要求を送信して、該ＵＳＢコントローラとの間で接続ネゴシエーションを開始し(Ｓ１０)、デジタルカメラ(1)と外部装置の間で、ＵＳＢマスストレージクラス規格に基づいた通信接続が確立される(Ｓ１１)。接続ネゴシエーションの際には、ＵＳＢマスストレージクラス規格に基づいて通信接続を行う旨が、デジタルカメラ(1)から外部装置に対して宣言される。ステップＳ１１にて、デジタルカメラ(1)と外部装置の間で通信接続が確立された後、例えば、外部装置から送られる指令に基づいて、メモリカード(17)に記憶された画像データを読み出す処理が行われる。画像データは、ＵＳＢマスイメージクラス規格に基づくフォーマットの信号に変換された後、外部装置に送られる。また、外部装置から送られた画像データをメモリカード(17)に記憶する処理等も行われる。
【００３３】
ステップＳ７にて、文字列「中止」の横に矢印(33)が配置された状態で、セット釦(20)が押下されると、ＵＳＢコントローラ(26)は、接続ネゴシエーションを行わない。その代わりに、図４(b)に示すように、ＣＰＵ(14)は、ＵＳＢケーブル(31)による外部装置との接続解除を使用者に求めるケーブル接続解除要求画面を、ＬＣＤモニタ(11)に表示する処理を行う(Ｓ１２)。ケーブル接続解除要求画面には、その旨を示す文字列「ＵＳＢケーブルを外して下さい」が示されている。
【００３４】
ステップＳ１２の後、システムコントローラ(13)にて、ＵＳＢプラグ(32)がＵＳＢインターフェイス(25)から引き抜かれて(又は、外部装置にてＵＳＢインターフェイスからＵＳＢプラグが引き抜かれて)、ＵＳＢケーブル(31)による外部装置との接続が解除されたか否かが検知される(Ｓ１３)。接続が解除された場合、本実施例のデジタルカメラ(1)は、ＵＳＢケーブル(31)で外部装置と接続される前の状態に戻る。まず、システムコントローラ(13)は、電源をオフにするか否かを判断する(Ｓ１４)。ステップＳ３を行って電源をオンにした場合、即ち、電源がオフの状態でデジタルカメラと外部装置がＵＳＢケーブル(31)で接続された場合、システムコントローラ(13)は、電源をオフにすると判断し、電源回路(23)を制御してＣＰＵ(14)等への給電を停止させる(Ｓ１５)。
【００３５】
電源がオンの状態でデジタルカメラ(1)と外部装置がＵＳＢケーブル(31)で接続された場合、ステップＳ１４にて電源をオフにする必要はないと判断され、システムコントローラ(13)からＣＰＵ(14)に、ＵＳＢケーブル(31)による接続が解除された旨の通知が送られる。そして、ＣＰＵ(14)は、ステップＳ４にて中止した処理を再開する(Ｓ１６)。
【００３６】
ステップＳ５にて、再生モードが選択されていると判断された場合、図３に示す処理が行われる。まず、図４(c)に示すように、ＣＰＵ(14)は、第２接続選択画面をＬＣＤモニタ(11)に表示させる(Ｓ２１)。図４(a)に示す第１接続選択画面と同様に、第２接続選択画面の左上には、外部装置との接続形態を示す文字列「プリンタ接続」が示されている。基本的に、デジタルカメラ(1)は、再生モードではプリンタと接続される。また、第２接続選択画面には、文字列「決定」及び「中止」、さらには矢印(33)が示されている。使用者は、第２接続選択画面を用いて以後の処理を決定する(Ｓ２２)。
【００３７】
ステップＳ２２にて、文字列「決定」の横に矢印(33)が配置された状態で、セット釦(20)が押下されると、ＣＰＵ(14)からの指示により、ＵＳＢコントローラ(26)は、外部装置のＵＳＢコントローラに対して通信接続要求を送信して、該ＵＳＢコントローラとの間で接続ネゴシエーションを開始し(Ｓ２３)、デジタルカメラ(1)と外部装置の間の通信接続が確立される(Ｓ２４)。接続ネゴシエーションの際には、ＰＴＰ規格に基づいて通信接続を行う旨が、デジタルカメラ(1)から外部装置に対して宣言される。ステップＳ２４にて、デジタルカメラ(1)と外部装置の間で通信接続が確立された後、例えば、ＣＰＵ(14)は、選択された画像データをメモリカード(17)から読み出す処理を行う。画像データは、ＰＴＰ規格に基づくフォーマットの信号に変換された後、外部装置に送られる。
【００３８】
ステップＳ２２にて、文字列「中止」の横に矢印(33)が配置された状態で、セット釦(20)が押下されると、ＵＳＢコントローラ(26)は、接続ネゴシエーションを行わず、以後、図２に示すステップＳ１２乃至Ｓ１６が行われる。
【００３９】
上記の処理において、第１選択画面と第２選択画面を統合して、１つの選択画面にすることも可能であるが、この場合、撮影モードにてＰＴＰ規格が、再生モードにてＵＳＢビデオイメージ規格又はＵＳＢマスストレージ規格が選択される恐れがある。よって、本発明の電子装置では、動作モードが複数存在する場合、各動作モードに応じた設定画面を表示して、各設定画面にてその動作モードで使用される可能性のある１又は２以上の通信規格が示されるのが好ましい。
【００４０】
ＵＳＢを用いてＰＣやプリンタ等の外部装置に通信接続するデジタルカメラを例にして本発明を説明したが、本発明は、ＵＳＢを用いて外部装置と通信接続する電子装置に限定されることはなく、複数の通信規格の中から選択された通信規格に基づいて、単一のインターフェイスを用いて外部装置と通信接続可能な電子装置であれば、本発明を適用することができる。
【００４１】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【００４２】
【図１】本発明の実施例であるデジタルカメラの構成を示すブロック図である。
【図２】本発明の実施例であるデジタルカメラで行われる処理を示すフローチャートである。
【図３】本発明の実施例であるデジタルカメラで行われる処理を示すフローチャートである。
【図４】図４(a)乃至(c)は、本発明の実施例であるデジタルカメラに本発明に係る画面が表示された状態を示す背面図である。
【符号の説明】
【００４３】
(1)     デジタルカメラ
(11)    ＬＣＤモニタ
(13)    システムコントローラ
(14)    ＣＰＵ
(17)    メモリカード
(23)    電源回路
(24)    ＯＳＤ部
(25)    ＵＳＢインターフェイス(レセプタクル)
(26)    ＵＳＢコントローラ
(31)    ＵＳＢケーブル
(32)    ＵＳＢプラグ
【図１】
2005295478.tif 000003
【図２】
2005295478.tif 000004
【図３】
2005295478.tif 000005
【図４】
2005295478.tif 000006